【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
被写体の画像を撮像する撮像手段と、
前記撮像手段による画像取り込みを指示する指示手段と、
前記指示手段の操作に応答して前記撮像手段により撮像された画像に対応する画像を記憶する記憶手段と、
前記記憶手段の書き込みおよび読み出しを制御する記憶制御手段と、
前記撮像手段により撮像された画像または前記記憶手段に記憶された画像を再生する再生手段とを具備した電子撮像装置において、
前記指示手段の操作に応答して、前記画像に改変不可であることを示す識別情報を付加する制御手段を具備し、
前記記憶制御手段は、前記記憶手段に対する書き込み制御時に、既に記憶されている画像に前記識別情報が付加されている場合には、その画像に対して再度書き込み処理を行わないことにより、前記識別情報が付加された画像を改変不可とすることを特徴とする電子撮像装置。
【請求項２】
前記制御手段は、前記指示手段の操作に応答して前記記憶手段に記憶させる画像を改変可能にするか改変不可にするか選択する選択手段を備えていることを特徴とする請求項１記載の電子撮像装置。
【請求項３】
さらに、前記記憶手段に記憶した画像を編集する編集手段を備え、
前記再生手段は、前記編集手段による編集時、前記識別情報が付加された画像の再生を行わないことを特徴とする請求項１記載の電子撮像装置。
【請求項４】
前記制御手段は、前記画像を前記識別情報と共に暗号化する暗号化手段と、
暗号化されたデータを解読する解読手段と
を備えていることを特徴とする請求項１記載の電子撮像装置。
【請求項５】
前記制御手段は、前記画像に所定の情報を埋め込む埋め込み手段と、
前記所定の情報が埋め込まれている画像から前記所定の情報を分離する分離手段と
を備えていることを特徴とする請求項１記載の電子撮像装置。
【請求項６】
前記制御手段は、前記再生手段により前記撮像手段から撮像された画像を再生している際に、改変不可であることを警告する警告情報を表示する警告手段を備えていることを特徴とする請求項１記載の電子撮像装置。
【請求項７】
前記記憶手段は、電子撮像装置本体から着脱可能に構成されていることを特徴とする請求項１記載の電子撮像装置。
【請求項８】
さらに、前記記憶手段に記憶されているデータを送受信する通信手段を備えることを特徴とする請求項１記載の電子撮像装置。
【請求項９】
さらに、情報機器と接続する接続手段を備え、
前記指示手段は、前記接続手段によって接続された情報機器からの信号により作動することを特徴とする請求項１記載の電子撮像装置。
【請求項１０】
通信回線を介して接続された電子カメラと通信手段と情報機器とからなる電子カメラシステムであって、
前記電子カメラで撮像した画像を、前記通信回線を介して伝送可能とし、前記電子カメラは前記画像を改変不可に設定して送信する手段を有し、通信回線を介して受信された画像が改変不可に設定されている場合には、受信した側で該画像を改変できないことを特徴とする電子カメラシステム。
【請求項１１】
前記改変不可に設定されている画像は、改変不可であることを示す識別情報とともに暗号化されており、受信側で該暗号化された画像を解読しても、改変不可であることを示す識別情報が付加されている場合には、該画像を改変できないことを特徴とする請求項１０記載の電子カメラシステム。
【請求項１２】
コンピュータによって読み取られ実行可能なプログラムコードを記憶する記憶媒体であって、
被写体の画像を撮像させるプログラムコードと、
シャッター操作を行わせるプログラムコードと、
このシャッター操作に応答して、前記撮像された画像に対応する画像を記憶手段に記憶させるプログラムコードと、
前記記憶手段の書き込みおよび読み出しを制御するプログラムコードと、
前記撮像された画像または前記記憶手段に記憶された画像を再生させるプログラムコードと、
前記シャッター操作に応答して、前記画像に改変不可であることを示す識別情報を付加するプログラムコードと、
前記記憶手段に対する書き込み制御時に、前記識別情報を検出し、前記画像に前記識別情報が付加されている場合には、書き込み処理を行わないよう制御すべく、前記記憶手段に記憶された画像を改変不可とするプログラムコードと
を具備したことを特徴とする記憶媒体。
【手続補正２】
【補正対象書類名】明細書
【補正対象項目名】０００８
【補正方法】変更
【補正の内容】
【０００８】
また、好ましくは、例えば請求項３記載のように、さらに、前記記憶手段に記憶した画像を編集する編集手段を備え、前記再生手段は、前記編集手段による編集時、前記識別情報が付加された画像の再生を行わないようにしてもよい。
また、好ましくは、例えば請求項４記載のように、前記制御手段は、前記画像を前記識別情報と共に暗号化する暗号化手段と、暗号化されたデータを解読する解読手段とを備えるようにしてもよい。
また、好ましくは、例えば請求項５記載のように、前記制御手段は、前記画像に所定の情報を埋め込む埋め込み手段と、前記所定の情報が埋め込まれている画像から前記所定の情報を分離する分離手段とを備えるようにしてもよい。
また、好ましくは、例えば請求項６記載のように、前記制御手段は、前記再生手段により前記撮像手段から撮像された画像を再生している際に、改変不可であることを警告する警告情報を表示する警告手段を備えるようにしてもよい。
また、好ましくは、例えば請求項７記載のように、前記記憶手段は、電子撮像装置本体から着脱可能に構成されてもよい。
また、好ましくは、例えば請求項８記載のように、さらに、前記記憶手段に記憶されているデータを送受信する通信手段を備えるようにしてもよい。
また、好ましくは、例えば請求項９記載のように、さらに、情報機器と接続する接続手段を備え、前記指示手段は、前記接続手段によって接続された情報機器からの信号により作動するようにしてもよい。
また、上記目的達成のため、請求項１０記載の発明による電子カメラシステムは、通信回線を介して接続された電子カメラと通信手段と情報機器とからなる電子カメラシステムであって、前記電子カメラで撮像した画像を、前記通信回線を介して伝送可能とし、前記電子カメラは前記画像を改変不可に設定して送信する手段を有し、通信回線を介して受信された画像が改変不可に設定されている場合には、受信した側で該画像を改変できないことを特徴とする。
また、好ましくは、例えば請求項１１記載のように、前記改変不可に設定されている画像は、改変不可であることを示す識別情報とともに暗号化されており、受信側で該暗号化された画像を解読しても、改変不可であることを示す識別情報が付加されている場合には、該画像を改変できないようにしてもよい。
また、上記目的達成のため、請求項１２記載の発明による記憶媒体は、コンピュータによって読み取られ実行可能なプログラムコードを記憶する記憶媒体であって、被写体の画像を撮像させるプログラムコードと、シャッター操作を行わせるプログラムコードと、このシャッター操作に応答して、前記撮像された画像に対応する画像を記憶手段に記憶させるプログラムコードと、前記記憶手段の書き込みおよび読み出しを制御するプログラムコードと、前記撮像された画像または前記記憶手段に記憶された画像を再生させるプログラムコードと、前記シャッター操作に応答して、前記画像に改変不可であることを示す識別情報を付加するプログラムコードと、前記記憶手段に対する書き込み制御時に、前記識別情報を検出し、前記画像に前記識別情報が付加されている場合には、書き込み処理を行わないよう制御すべく、前記記憶手段に記憶された画像を改変不可とするプログラムコードとを具備したことを特徴とする。
【手続補正３】
【補正対象書類名】明細書
【補正対象項目名】００６２
【補正方法】変更
【補正の内容】
【００６２】
また、請求項３記載の発明によれば、編集時に編集できない画像が表示されることがなく、編集可能な画像だけが再生されるので、わかりやすいという利点が得られる。
また、請求項４記載の発明によれば、改変不可に設定された画像は識別情報と共に暗号化されて記憶されるので、解読手段がなければ解読できないと共に、解読手段があって解読した場合は、識別情報も解読されて認識されるので、それにより改変を防止することができ、特に撮像した電子カメラ以外の装置で再生しようとした場合に有効であるという利点が得られる。
また、請求項５記載の発明によれば、改変不可に設定された画像には所定の情報が埋め込まれているので、所定の情報を分離する分離手段がなければ解読できないと共に、分離手段があって解読した場合は、識別情報も認識されるので、それにより改変を防止することができ、特に撮像した電子カメラ以外の装置で再生しようとした場合に有効であるという利点が得られる。
また、請求項６記載の発明によれば、撮影者は、被写体に向かって再生手段をファインダとしてモニタしているときに、撮像したらその画像は改変ができなくなることを認識することができるという利点が得られる。
また、請求項７記載の発明によれば、複数の記憶手段を使用したり、電子カメラ本体から取り外した記憶手段を他の電子カメラや他の装置で使用することができるという利点が得られる。
また、請求項８記載の発明によれば、撮影した画像を、通信手段を介して他の電子カメラや他の装置へ伝送することができるという利点が得られる。
また、請求項９記載の発明によれば、他の情報機器や他の電子カメラからシャッター操作を行うことができるという利点が得られる。
また、請求項１０記載の発明によれば、通信回線を介して接続された電子カメラと通信手段と情報機器とからなる電子カメラシステムにおいて、撮影した画像を後で改変されることを防止することができるという利点が得られる。
また、請求項１１記載の発明によれば、通信回線を介して画像をやりとりしても、改変不可に設定されている画像を受信側で改変できないという利点が得られる。
また、請求項１２記載の発明によれば、プログラムコードをコンピュータに読み込ませて実行することにより、撮像手段を制御し、撮像した画像を改変不可の状態で記憶することができるという利点が得られる。